(57)【特許請求の範囲】
【請求項１】
橋脚上に支承部を介して設置された橋桁の橋側歩道に設けられる橋桁積雪防止構造であって、
前記橋桁の側部に傾斜可能に連結された橋側歩道と、
該橋側歩道の床板材を予め定められた荷重を越えるまで水平姿勢に支持する支持機構と、
を有し、
前記橋側歩道は、前記橋桁の上側部にて水平に設けられてその上面にて歩行が可能な床板材と、該床板材の先端側と該床板材の下方に位置する前記橋桁の下側部との間にて斜めに設けられて該床板材を下方から支持する腕材と、を有し、
前記床板材はその基端部と前記橋桁との間にある第１水平軸を中心として回転可能に設けられており、
前記腕材は、前記床板材の先端側及び前記橋桁の下側部の各連結部が、第２及び第３水平軸を中心としてそれぞれ回転自在に設けられるとともに、これら連結部間の距離が、前記床板材にかかる荷重に応じて変更可能な長さ調整手段を有することを特徴とする橋桁積雪防止構造。
【請求項２】
前記長さ調整手段は、前記床板材上に一定値以上の荷重がかかった場合に縮小するダンパーから構成されることを特徴とする請求項１に記載の橋桁積雪防止構造。
【請求項３】
前記ダンパーは前記床板材上に一定値以上の荷重がかかった場合に縮小する空気式ダンパーであることを特徴とする請求項２に記載の橋桁積雪防止構造。
【請求項４】
前記長さ調整手段は、前記腕材を構成する一対のリンク材と、これら一対のリンク材の接続部に設けられかつ該リンク材を回転自在に支持する水平軸からなる連結ピンを有し、
前記連結ピンは、前記床板材を介して前記リンク材の接続部に一定値以上の回転トルクがかかった場合に、該リンク材の回転を許容するトルクリミッタを有することを特徴とする請求項１に記載の橋桁積雪防止構造。
【請求項５】
前記長さ調整手段は、前記腕材を構成する一対のリンク材と、これら一対のリンク材の接続部に設けられかつ該リンク材を回転自在に支持する水平軸からなる連結ピンと、該リンク材の接続部に設けられて該リンク材を直線状に保持する廻り止め片と、から構成され、
前記廻り止め片は、前記リンク材の接続部に一定値以上の回転トルクがかかった場合に剪断破断されて、該リンク材の回転を許容することを特徴とする請求項１に記載の橋桁積雪防止構造。
【請求項６】
前記支承部には前記橋脚からの橋桁の浮き上がりを防止するアンカーボルトが締結されていることを特徴とする請求項１〜５のいずれか一項に記載の橋桁積雪防止構造。
【請求項７】
前記橋桁には、前記橋脚からの前記橋桁の浮き上がりを測定するセンサと、該センサの検出値に応じてアラームを出力する警報手段と、が具備されていることを特徴とする請求項６に記載の橋桁積雪防止構造。
【発明の詳細な説明】
【技術分野】
【０００１】
本発明は、橋桁の橋側歩道上に大量の積雪があった場合でも、橋桁が橋脚から浮き上がることを防止できる橋桁積雪防止構造に関する。
【背景技術】
【０００２】
橋脚上に設置された橋桁には点検用の橋側歩道が設置されており、この橋側歩道には、冬季において大量の雪が降り積もることがある。
例えば、以下の非特許文献１に示されるように、２０１４年３月１３日、東日本旅客鉄道（ＪＲ東日本）の鉄道路線である北上線・大荒沢橋桁において、橋側歩道に降り積もった雪の重みにより、橋桁が橋脚から浮き上がる事象が生じている。
【０００３】
具体的に説明すると、図４（Ａ）及び（Ｂ）に示されるように、一般の橋桁１は、コンクリートの橋脚２上に支承部３（３Ａ・３Ｂ）を介して設置されている。該支承部３は鉄道レールＲの幅方向に沿い一定の間隔をおいて設けられているものであって、一方側の支承部３（３Ａ）にて、橋桁１の脚部１Ａを支持し、かつ他方側の支承部３（３Ｂ）にて、橋桁１の脚部１Ｂを支持している。
また、このような橋桁１には橋側歩道４が設けられており、該橋側歩道４を介して作業員の通行又は作業員による橋桁点検などが行われる。
【先行技術文献】
【非特許文献】
【０００４】
【非特許文献１】「北上線大荒沢橋りょう  雪荷重による変状とその対策」著作：佐々木勝法，藤田恭弘，山口愼：Structural engineering data (45), 38-41, 2015-05  東日本旅客鉄道株式会社構造技術センター発行
【発明の概要】
【発明が解決しようとする課題】
【０００５】
以上のように構成された橋桁１では、図５（Ａ）及び（Ｂ）に示されるように、側方に設置された橋側歩道４に大量の雪（符号Ｓで示す）が降り積もった場合には、橋桁１の歩道側に位置する支承部３（３Ａ）を中心とする転倒モーメントが発生し（矢印Ｍで示す）、外側の支承部３（３Ｂ）を橋脚２から浮き上がらせようとする（矢印Ｆで示す）。また、ここで発生した浮き上がりを符号ｆで示す。
【０００６】
そして、上記のような橋桁１においては、図５（Ｂ）に示されるように、転倒モーメントＭの発生に伴う橋脚２の脚部１Ｂの浮き上がりを防止するために、該脚部１Ｂを支持する外側の支承部３（３Ｂ）に、アンカーボルト５を打ち込むといった対策がなされている。
しかしながら、上記橋桁１では、予測を超える大量の降雪により、過大な転倒モーメントＭが橋脚２にかかった場合には、アンカーボルト５が曲がるなどの変形が生じ、新たな安全策の提案が期待されていた。
【０００７】
この発明は、上述した事情に鑑みてなされたものであって、橋桁の橋側歩道上に大量の積雪があった場合でも、橋脚の支承部を保護して該橋桁が橋脚から浮き上がることを確実に防止できる橋桁積雪防止構造を提供する。
【課題を解決するための手段】
【０００８】
上記課題を解決するために、この発明は以下の手段を提案している。
本発明は、橋脚上に支承部を介して設置された橋桁の橋側歩道に設けられる橋桁積雪防止構造であって、前記橋桁の側部に傾斜可能に連結された橋側歩道と、該橋側歩道の床板材を予め定められた荷重を越えるまで水平姿勢に支持する支持機構とを有することを特徴とする。
より具体的には、橋脚上に支承部を介して設置された橋桁の橋側歩道に設けられる橋桁積雪防止構造であって、前記橋側歩道は、前記橋桁の上側部にて水平に設けられてその上面にて歩行が可能な床板材と、該床板材の先端側と該床板材の下方に位置する前記橋桁の下側部との間にて斜めに設けられて該床板材を下方から支持する腕材と、を有し、前記床板材はその基端部と前記橋桁との間にある第１水平軸を中心として回転可能に設けられており、前記腕材は、前記床板材の先端側及び前記橋桁の下側部の各連結部が、第２及び第３水平軸を中心としてそれぞれ回転自在に設けられるとともに、これら連結部間の距離が、前記床板材にかかる荷重に応じて変更可能な長さ調整手段を有することを特徴とする。
【０００９】
上記の構成によれば、橋側歩道に所定以上の荷重が加わった場合に前記床板材を傾斜させることにより、積もった雪を排除することができる。
詳細には、腕材に、床板材の先端側及び橋桁の下側部の各連結部間の距離を、床板材にかかる荷重に応じて変更可能とする長さ調整手段を設置したので、該床板材上に大量の積雪があり、該床板材に多大な荷重がかかった場合には、当該長さ調整手段により腕材の長さが縮小される。
このとき、床板材及び腕材がそれぞれの連結部にある第１〜第３水平軸を中心に回転しつつ、長さ調整手段により腕材の長さが縮小されることで、該腕材により支持される床板材を水平位置から傾斜位置となるように角度変更することができる。
その結果、本発明では、床板材上にて多量の積雪が発生した場合において、腕材により支持される床板材を水平位置から傾斜位置に角度変更できることから、該床板材上に積もった大量の雪を落下させることができ、橋脚からの橋桁浮き上がりを防止して、該橋桁の安全性を高めることができる。
【００１０】
また本発明は、前記長さ調整手段は、前記床板材上に一定値以上の荷重がかかった場合に縮小するダンパーから構成されることを特徴とする。
【００１１】
上記の構成によれば、材上に一定値以上の荷重がかかった場合に縮小するダンパーにより、腕材の長さが縮小されることで、該腕材により支持される床板材を水平位置から傾斜位置となるように角度変更することができる。
これにより、床板材上にて多量の積雪が発生した場合において、腕材により支持される床板材を水平位置から傾斜位置に角度変更して、該床板材上に積もった大量の雪を落下させることができ、その結果、橋脚からの橋桁浮き上がりを防止して、該橋桁の安全性を高めることができる。
【００１２】
また本発明は、前記ダンパーは前記床板材上に一定値以上の荷重がかかった場合に縮小する空気式ダンパーであることを特徴とする。
【００１３】
上記の構成によれば、床板材上に一定値以上の荷重がかかった場合に縮小する空気式ダンパーを使用することにより、特別に内部流体の流れを制御するための弁機構を付加する必要がなく、全体構成を簡略化することができる。
【００１４】
また本発明は、前記長さ調整手段は、前記腕材を構成する一対のリンク材と、これら一対のリンク材の接続部に設けられかつ該リンク材を回転自在に支持する水平軸からなる連結ピンを有し、前記連結ピンは、前記床板材を介して前記リンク材の接続部に一定値以上の回転トルクがかかった場合に、該リンク材の回転を許容するトルクリミッタを有することを特徴とする。
【００１５】
上記の構成によれば、一対のリンク材の接続部に一定値以上の回転トルクがかかった場合に該リンク材の回転を許容するトルクリミッタを連結ピンに有する構成とした。これにより、多量の積雪により床板材上に荷重がかかって、腕材を構成しているリンク材の接続部に一定値以上の回転トルクが加わった場合に、該リンク材の回転が許容される。
その結果、本発明では、床板材上にて多量の積雪が発生した場合において、腕材により支持される床板材を水平位置から傾斜位置に角度変更でき、該床板材上に積もった大量の雪を落下させることができ、橋脚からの橋桁浮き上がりを防止して、該橋桁の安全性を高めることができる。
【００１６】
また本発明は、前記長さ調整手段は、前記腕材を構成する一対のリンク材と、これら一対のリンク材の接続部に設けられかつ該リンク材を回転自在に支持する水平軸からなる連結ピンと、該リンク材の接続部に設けられて該リンク材を直線状に保持する廻り止め片と、から構成され、前記廻り止め片は、前記リンク材の接続部に一定値以上の回転トルクがかかった場合に剪断破断されて、該リンク材の回転を許容することを特徴とする。
【００１７】
上記の構成によれば、腕材を構成する一対のリンク材の接続部に一定値以上の回転トルクがかかった場合に剪断破断されて、該リンク材の回転を許容する廻り止め片を有する構成した。
これにより、多量の積雪により床板材上に荷重がかかって、腕材を構成しているリンク材の接続部に一定値以上の回転トルクが加わった場合に、廻り止め片が剪断破断されて該リンク材の回転が許容される。
その結果、本発明では、床板材上にて多量の積雪が発生した場合において、腕材により支持される床板材を水平位置から傾斜位置に角度変更でき、該床板材上に積もった大量の雪を落下させることができ、橋脚からの橋桁浮き上がりを防止して、該橋桁の安全性を高めることができる。
【００１８】
また本発明は、前記支承部には前記橋脚からの橋桁の浮き上がりを防止するアンカーボルトが締結されていることを特徴とする。
【００１９】
上記の構成によれば、橋桁の支承部に橋脚からの該橋桁の浮き上がりを防止するアンカーボルトが締結されているので、上述した長さ調整手段と併用することで橋桁の安全性をさらに高めることができる。
【００２０】
また本発明は、前記橋桁には、前記橋脚からの前記橋桁の浮き上がりを測定するセンサと、該センサの検出値に応じてアラームを出力する警報手段と、が具備されていることを特徴とする。
【００２１】
上記の構成によれば、センサでの検出値に基づく警報手段からのアラームを参照することで、橋桁の橋側歩道を歩行する作業者にいち早く危険を報知することができる。そして、当該アラームによる危険報知を、上述した長さ調整手段と併用することで橋桁の安全性をさらに高めることができる。
【発明の効果】
【００２２】
本発明によれば、床板材上にて多量の積雪が発生した場合において、腕材により支持される床板材を水平位置から傾斜位置に角度変更できることから、該床板材上に積もった大量の雪を落下させることができ、その結果、橋脚からの橋桁浮き上がりを防止して、該橋桁の安全性を高めることができる。
【図面の簡単な説明】
【００２３】
【図１】本発明の第１実施形態を示す図であって、（Ａ）は鉄道レールの幅方向に切断した概略構成図、（Ｂ）は支承部を示す図である。
【図２】本発明の第２実施形態に係る長さ調整手段を示す図であって、（Ａ）は積雪荷重がかかっていない場合の図、（Ｂ）は積雪荷重がかかって板部材が傾斜した場合の図である。
【図３】本発明の第２実施形態の変形例に係る長さ調整手段を示す図であって、（Ａ）は積雪荷重がかかっていない場合の図、（Ｂ）は積雪荷重がかかって板部材が傾斜した場合の図である。
【図４】従来の橋桁に係る図であって、（Ａ）は積雪荷重がかかっていない場合の図、（Ｂ）は支承部を示す図である。
【図５】従来の橋桁に係る図であって、（Ａ）は積雪荷重がかかって板部材が傾斜した場合の図、（Ｂ）は支承部を示す図である。
【発明を実施するための形態】
【００２４】
（第１実施形態）
本発明の第１実施形態について図１（Ａ）及び（Ｂ）を参照して説明する。
図１（Ａ）に符号１０で示すものはコンクリート製の橋脚であって、該橋脚１０上には、支承部１１（１１Ａ・１１Ｂ）を介して設置された橋桁１２が設置されている。
この橋桁１２は、鉄道レールＲの幅方向に沿い一定の間隔をおいて設けられた脚部１３（１３Ａ・１３Ｂ）を有するものであって、これら脚部１３（１３Ａ・１３Ｂ）は、鉄道レールＲの長さ方向に沿い複数対設置されている。
また、これら橋桁１２の脚部１３において、一方の脚部１３Ａはコンクリートの橋桁１２上に支承部１１Ａを介して設置され、かつ他方の脚部１３Ｂはコンクリートの橋桁１２上に支承部１１Ｂを介して設置されている。
【００２５】
また、橋桁１２の一方側に位置する脚部１３Ａには橋側歩道１５が設けられており、該橋側歩道１５を経由して作業員の通行又は作業員による橋桁点検などが行われるようになっている。
橋側歩道１５は、橋桁１２の上側部にて水平（通常位置である場合）に設けられてその上面にて歩行が可能な床板材１６と、該床板材１６の先端側と該床板材１６の下方に位置する橋桁１２の下側部との間にて斜めに設けられて該床板材１６を下方から支持する腕材１７と、を有する。
【００２６】
また、図１（Ｂ）に示されるように、橋桁１２の他方側の脚部１３Ｂに位置する支承部１１Ｂには、アンカーボルト１４が設けられている。
このアンカーボルト１４は、橋桁１２の支承部１１Ｂを貫通して橋脚１０に螺合されるものであって、これにより橋桁１２を構成している他方側の脚部１３Ｂの浮き上がりを防止しつつ該脚部１３Ｂを橋脚１０上に強固に固定する。
【００２７】
次に、橋側歩道１５と橋桁１２との間に設置される橋桁積雪防止構造体１００について説明する。
床板材１６はその基端部と橋桁１２の間の連結部にある第１水平軸２０を中心として回転可能に設けられているものであって、通常は図１（Ａ）に示される水平位置に配置されている。なお、この床部材１５の第１水平軸２０は、橋桁１２における脚部１３Ａの上側部に配置されている。
【００２８】
腕材１７は、床板材１６の先端側及び橋桁１２の下側部に位置する各端部の連結部が、第２水平軸２１及び第３水平軸２２を中心としてそれぞれ回転自在に設けられるものであって、該腕材１７の途中には、長さ調整手段となるダンパー２３が設けられている。
このダンパー２３は、床板材１６上に一定値以上の荷重がかかった場合に縮小するものであって、第２水平軸２１及び第３水平軸２２がある連結部間の距離Ｌを、床板材１６にかかる荷重に応じて変更する。例えば、該ダンパー２３において、直上の床板材１６に１平方メートル当たり１トン以上の重量がかかった場合に縮小する設定としておき、通常の作業員の歩行では縮小しない安全設計としておく。
そして、このような設定により、床板材１６上にて多量の積雪（例えば、直上の床板材１６に１平方メートル当たり１トン以上の積雪）が発生した場合においては、ダンパー２３が縮小して、腕材１７により支持される床板材１６を矢印ａ方向に回転させ、該床板材１６を水平位置から傾斜位置に角度変更できる。
これによって、床板材１６上に積もった大量の雪を、傾斜した床板材１６の表面を滑らせて落下させることができ、その結果、橋脚１０からの橋桁１２の浮き上がり、特に、床板材１５の反対側に位置する橋桁脚部１３Ｂの浮き上がりを防止して、該橋桁１２の安全性を高めることができる。
【００２９】
なお、ダンパー２３として空気ダンパーが使用されるが、これに限定されず、外部から電磁弁を介して油圧を供給可能な油圧式ダンパーなどを使用しても良い。また、ダンパー２３として油圧式のものを使用することで、電磁弁及び切替弁を適宜切り替えることにより、該ダンパー２３を伸長させて、傾斜した床板材１６を水平となるように復元しても良い。
【００３０】
また、橋桁１２には、図１（Ｂ）に示されるように、橋脚１０からの該橋桁１２の脚部１３Ｂの浮き上がりを検出する変位計、あるいは、床板材やダンパーの歪みを検出する歪ゲージ等のセンサ３０と、該センサ３０の検出値に応じてアラームを出力する警報手段３１と、を具備しても良い。ここで、警報手段３１としてはアラーム音を出力するスピーカー、アラーム表示を行うＬＥＤ表示板などが使用される。
そして、この警報手段３１からのアラームを聞くことで、橋桁１２の橋側歩道１５を歩行する作業者にいち早く危険を報知することができる。また、このセンサ３０での検出値を利用して、油圧式ダンパーを使用した場合にその電磁弁の開閉を行うようにしても良い。
【００３１】
以上詳細に説明したように本実施形態に示される橋桁積雪防止構造体１００によれば、腕材１７に、床板材１６の先端側及び橋桁１２下側部の各連結部間の距離Ｌを、床板材１６にかかる荷重に応じて変更可能とするダンパー２３を設置したので、該床板材１６上に大量の積雪があり、該床板材１６に多大な荷重がかかった場合には、当該ダンパー２３により腕材１７の長さが縮小される。
このとき、床板材１６及び腕材１７がそれぞれの連結部にある第１〜第３水平軸２０〜２２を中心に回転しつつ、ダンパー２３により腕材１７の長さが縮小されることで、該腕材１７により支持される床板材１６を水平位置から傾斜位置となるように角度変更することができる。
すなわち、本実施形態に示される橋桁積雪防止構造体１００では、床板材１６上にて多量の積雪が発生した場合において、腕材１７により支持される床板材１６を水平位置から傾斜位置に角度変更できることから、該床板材１６上に積もった大量の雪を落下させることができ、その結果、橋脚１０からの橋桁１２浮き上がりを防止して、該橋桁１２の安全性を高めることができる。
【００３２】
また、本実施形態に示される橋桁積雪防止構造体１００では、床板材１６の反対側に位置する支承部１１Ｂには橋脚１０からの橋桁１２の浮き上がりを防止するアンカーボルト１４が締結されているので、上述したダンパー２３と併用することで橋桁１２の安全性をさらに高めることができる。
【００３３】
また、本実施形態に示される橋桁積雪防止構造体１００では、橋脚１０からの橋桁１２の浮き上がりを測定するセンサ３０と、該センサ３０の検出値に応じてアラームを出力する警報手段３１と、をさらに具備することで、橋桁１２の橋側歩道１５を歩行する作業者にいち早く危険を報知することができる。そして、当該アラームによる危険報知を、上述したダンパー２３と併用することで橋桁１２の安全性をさらに高めることが可能となる。
【００３４】
（第２実施形態）
本発明の第２実施形態について図２（Ａ）（Ｂ）及び図３（Ａ）（Ｂ）を参照して説明する。
この第２実施形態に示される橋桁積雪防止構造体１０１が、第１実施形態に示される橋桁積雪防止構造体１００と構成を異にする点は、長さ調整手段の構成にある。
すなわち、第１実施形態の橋桁積雪防止構造体１００ではダンパー２３により長さ調整手段を構成したが、第２実施形態の橋桁積雪防止構造体１０１では、図２（Ａ）及び（Ｂ）に示されるように、長さ調整手段４０を、腕材４１を形成する一対のリンク材４２と、これら一対のリンク材４２の接続部に設けられかつ該リンク材４２を回転自在に支持する水平軸からなる連結ピン４３と、から構成している。
ここで、連結ピン４３として、床板材１６を介してリンク材４２の接続部に一定値以上の回転トルクがかかった場合（例えば、直上の床板材１６に１平方メートル当たり１トン以上の重量がかかった場合）に、内部の係合が外れて該リンク材４２の回転を許容するトルクリミッタ４３Ａを備えた回転軸４３Ｂが採用されている。
このトルクリミッタ４３Ａは、外環部材の内側に回転自在に挿入した回転軸４３Ｂと同軸の内輪に、その外径面を締め付けるコイルばねを装着した構成とされ、リンク材４２を回転させようとするトルクが一定値以下であれば内輪がコイルばねの緊縛力により回転せず、また、内輪に加わるトルクが一定値以上になると（積雪により過大な転倒トルクが生じた場合）、コイルばねの緊縛力の減少により内輪が回転するものである。
【００３５】
その結果、本実施形態の橋桁積雪防止構造体１０１では、一対のリンク材４２からなる腕材４１の接続部に、トルクリミッタ４３Ａを有する連結ピン４３を採用することで、床板材１６上にて多量の積雪が発生した場合において、腕材１７により支持される床板材１６を水平位置から傾斜位置となるように角度変更することができる（図２（Ａ）〜図２（Ｂ）参照）。
【００３６】
そして、このような床板材１６の傾斜によって、該床板材１６上に積もった大量の雪を落下させることができ、橋脚１０からの橋桁浮き上がりを防止して、該橋桁１２の安全性を高めることが可能となる。
なお、図２（Ａ）〜図２（Ｂ）において符号４４は一対のリンク材４２からなる腕材４１を水平位置で保持し、かつ上方側への回転を規制するストッパである。
【００３７】
また、第２実施形態に示される橋桁積雪防止構造体１０１において、トルクリミッタ４３Ａを用いた長さ調整手段４０に代えて、図３（Ａ）及び（Ｂ）に示されるように、規制手段となる廻り止め片を用いた長さ調整手段５０を用いても良い。
この長さ調整手段５０は、腕材５１を形成する一対のリンク材５２と、これら一対のリンク材５２の接続部に設けられかつ該リンク材５２を回転自在に支持する水平軸からなる連結ピン５３と、該リンク材５２の接続部下方に位置して該リンク材５２を直線状に保持する廻り止め片５４と、から構成されている。
廻り止め片５４は、図３（Ａ）〜図３（Ｂ）に示されるようにリンク材５２の接続部に一定値以上の回転トルクがかかった場合に剪断破断されて、該リンク材５２の回転を許容するものである。
【００３８】
そして、以上のように構成された長さ調整手段５０では、多量の積雪により床板材１６上に荷重がかかって、腕材１７を構成しているリンク材５２の接続部に一定値以上の回転トルクが加わった場合に、廻り止め片５４が剪断破断されて該リンク材５２の回転が許容される。
その結果、床板材１６上にて多量の積雪が発生した場合において、腕材１７により支持される床板材１６を水平位置から傾斜位置となるように角度変更することができ（図３（Ａ）〜図３（Ｂ）参照）、該床板材１６上に積もった大量の雪を落下させることができ、橋脚１０からの橋桁１２浮き上がりを防止して、該橋桁１２の安全性を高めることができる。
【００３９】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４０】
本発明は、橋桁の橋側歩道上に大量の積雪があった場合でも、橋桁が橋脚から浮き上がることを防止できる橋桁積雪防止構造に関する。
【符号の説明】
【００４１】
１０  橋脚
１１（１１Ａ・１１Ｂ）  支承部
１２  橋桁
１３（１３Ａ・１３Ｂ）  脚部
１４  アンカーボルト
１５  橋側歩道
１６  床板材
１７  腕材
２０  第１水平軸
２１  第２水平軸
２２  第３水平軸
２３  ダンパー
３０  センサ
３１  警報手段
４０  長さ調整手段
４１  腕材
４２  リンク材
４３  連結ピン
５０  長さ調整手段
５１  腕材
５２  リンク材
５３  連結ピン
５４  廻り止め片
１００  橋桁積雪防止構造
１０１  橋桁積雪防止構造
【図１】
0006614444.tif 000002
【図２】
0006614444.tif 000003
【図３】
0006614444.tif 000004
【図４】
0006614444.tif 000005
【図５】
0006614444.tif 000006